(57)【要約】【課題】各機器で計測された複数の電力値を用いて、より信頼性の高い情報を提示することができるエネルギー管理装置、エネルギー管理方法、及びエネルギー管理システムを提供する。【解決手段】売電可能な電力を供給する分散電源の発電電力値及び系統への売電電力値を取得する通信部１１１と、前記発電電力値又は前記売電電力値の一方に基づき、他方の電力値を補正する制御部１１２と、を備えることを特徴とする。【選択図】図４
2014039362.tif 000002
【特許請求の範囲】
【請求項１】
需要家に設けられた負荷機器あるいは分散電源を管理するエネルギー管理装置であって、
売電可能な電力を供給する分散電源の発電電力値及び系統への売電電力値を取得する通信部と、
前記発電電力値又は前記売電電力値の一方に基づき、他方の電力値を補正する制御部と、
を備えることを特徴とするエネルギー管理装置。
【請求項２】
前記発電電力値又は前記売電電力値に対応する優先度又は精度に係る情報を格納する記憶媒体を備え、
前記制御部は、前記発電電力値又は前記売電電力値のうち、前記優先度又は前記精度が高い電力値に基づき、他方の電力値を補正することを特徴とする、請求項１に記載のエネルギー管理装置。
【請求項３】
需要家に設けられ、需要家内の負荷機器あるいは分散電源の電力状態を管理するエネルギー管理装置であって、
売電不可能な電力を供給する分散電源の放電電力値と、消費電力値に係る電力値とを取得する通信部と、
前記放電電力値又は前記消費電力値の一方に基づき、他方の電力値を補正する制御部と、
を備えることを特徴とするエネルギー管理装置。
【請求項４】
前記放電電力値又は前記売電電力値に対応する優先度又は精度に係る情報を格納する記憶媒体を備え、
前記制御部は、前記放電電力値又は前記売電電力値のうち、前記優先度又は前記精度が高い電力値に基づき、他方の電力値を補正することを特徴とする、請求項３に記載のエネルギー管理装置。
【請求項５】
各分散電源の売電可否情報を格納する記憶媒体を備え、
前記制御部は、前記売電可否情報に基づき、売電可能又は売電不可能な電力を供給する分散電源を判別することを特徴とする、請求項１乃至４のいずれか一項に記載のエネルギー管理装置。
【請求項６】
需要家に設けられ、需要家内の負荷機器あるいは分散電源の電力状態を管理するエネルギー管理装置であって、
蓄電部の充電電力値と、消費電力値に係る電力値とを取得する通信部と、
前記充電電力値又は前記消費電力値の一方に基づき、他方の電力値を補正する制御部と、
を備えることを特徴とするエネルギー管理装置。
【請求項７】
前記充電電力値又は前記消費電力値に対応する優先度又は精度に係る情報を格納する記憶媒体を備え、
前記制御部は、前記充電電力値又は前記消費電力値のうち、前記優先度又は前記精度が高い電力値に基づき、他方の電力値を補正することを特徴とする、請求項６に記載のエネルギー管理装置。
【請求項８】
需要家に設けられ、需要家内の負荷機器あるいは分散電源の電力状態を管理するエネルギー管理装置であって、
分散電源の発電電力値を取得する通信部と、
前記発電電力値が所定の定格電力値を超過する場合、前記発電電力値を、前記所定の定格電力値と同一の値に補正することを特徴とするエネルギー管理装置。
【請求項９】
前記制御部は、前記発電電力値の最小値が前記所定の定格電力値を所定期間超過する場合、前記所定の定格電力値を更新することを特徴とする、請求項８に記載のエネルギー管理装置。
【請求項１０】
前記制御部は、前記所定の定格電力値を更新した場合、更新した旨を示す情報を外部に出力することを特徴とする、請求項９に記載のエネルギー管理装置。
【請求項１１】
需要家内の負荷機器あるいは分散電源の電力状態を管理するエネルギー管理方法であって、
売電可能な電力を供給する分散電源の発電電力値及び系統への売電電力値を取得するステップと、
前記発電電力値又は前記売電電力値の一方に基づき、他方の電力値を補正するステップと、
を含むエネルギー管理方法。
【請求項１２】
需要家内の負荷機器あるいは分散電源の電力状態を管理するエネルギー管理方法であって、
売電不可能な電力を供給する分散電源の放電電力値と、消費電力値に係る電力値とを取得するステップと、
前記放電電力値又は前記消費電力値の一方に基づき、他方の電力値を補正するステップと、
を含むエネルギー管理方法。
【請求項１３】
需要家内の負荷機器あるいは分散電源の電力状態を管理するエネルギー管理方法であって、
蓄電部の充電電力値と、消費電力値に係る電力値とを取得するステップと、
前記充電電力値又は前記消費電力値の一方に基づき、他方の電力値を補正するステップと、
を含むエネルギー管理方法。
【請求項１４】
需要家内の負荷機器あるいは分散電源の電力状態を管理するエネルギー管理方法であって、
燃料を用いて発電する分散電源の発電電力値を取得するステップと、
前記発電電力値が所定の定格電力値を超過する場合、前記発電電力値を、前記所定の定格電力値と同一の値に補正するステップと、
を含むエネルギー管理方法。
【請求項１５】
需要家に設けられ、需要家内の負荷機器あるいは分散電源の電力状態を管理するエネルギー管理装置と、通信装置とを含むエネルギー管理システムであって、
前記エネルギー管理装置は、売電可能な電力を供給する分散電源の発電電力値及び系統への売電電力値を取得し、前記発電電力値又は前記売電電力値の一方に基づき、他方の電力値を補正して前記通信装置に送信し、
前記通信装置は、補正された前記電力値を表示することを特徴とするエネルギー管理システム。
【請求項１６】
需要家に設けられ、需要家内の負荷機器あるいは分散電源の電力状態を管理するエネルギー管理装置と、通信装置とを含むエネルギー管理システムであって、
前記エネルギー管理装置は、売電不可能な電力を供給する分散電源の放電電力値と、消費電力値に係る電力値とを取得し、前記放電電力値又は前記消費電力値の一方に基づき、他方の電力値を補正して前記通信装置に送信し、
前記通信装置は、補正された前記電力値を表示することを特徴とするエネルギー管理システム。
【請求項１７】
需要家に設けられ、需要家内の負荷機器あるいは分散電源の電力状態を管理するエネルギー管理装置と、通信装置とを含むエネルギー管理システムであって、
前記エネルギー管理装置は、蓄電部の充電電力値と、消費電力値に係る電力値とを取得し、前記充電電力値又は前記消費電力値の一方に基づき、他方の電力値を補正して前記通信装置に送信し、
前記通信装置は、補正された前記電力値を表示することを特徴とするエネルギー管理システム。
【請求項１８】
需要家に設けられ、需要家内の負荷機器あるいは分散電源の電力状態を管理するエネルギー管理装置と、通信装置とを含むエネルギー管理システムであって、
前記エネルギー管理装置は、燃料を用いて発電する分散電源の発電電力値を取得し、前記発電電力値が所定の定格電力値を超過する場合、前記発電電力値を、前記所定の定格電力値と同一の値に補正して前記通信装置に送信し、
前記通信装置は、補正された前記電力値を表示することを特徴とするエネルギー管理システム。
【発明の詳細な説明】
【技術分野】
【０００１】
本発明は、計測された電力を補正するエネルギー管理装置、エネルギー管理方法、及びエネルギー管理システムに関する。
【背景技術】
【０００２】
近年、電力需要家ごとに設けられるエネルギー管理装置（例えば、ＨＥＭＳ：Ｈｏｍｅ Ｅｎｅｒｇｙ Ｍａｎａｇｅｍｅｎｔ Ｓｙｓｔｅｍ）によって、電力需要家に設けられる負荷機器や電力需要家に設けられる分散電源などを制御する技術が知られている（特許文献１参照）。
【先行技術文献】
【特許文献】
【０００３】
【特許文献１】特開２００３−３０９９２８号公報
【発明の概要】
【発明が解決しようとする課題】
【０００４】
従来のエネルギー管理システムでは、各機器がセンサを備え、複数個所で電力値を計測している。そして各機器で計測されたこれら複数の電力値を用い、より信頼性の高い情報を提供することが求められている。
【０００５】
従って、上記のような課題に鑑みてなされた本発明の目的は、各機器で計測された複数の電力値を用いて、より信頼性の高い情報を提示することができるエネルギー管理装置、エネルギー管理方法、及びエネルギー管理システムを提供することにある。
【課題を解決するための手段】
【０００６】
上記課題を解決するために本発明に係るエネルギー管理装置は、
需要家に設けられた負荷機器あるいは分散電源を管理するエネルギー管理装置であって、
売電可能な電力を供給する分散電源の発電電力値及び系統への売電電力値を取得する通信部と、
前記発電電力値又は前記売電電力値の一方に基づき、他方の電力値を補正する制御部と、
を備えることを特徴とする。
【０００７】
また本発明に係るエネルギー管理装置は、
前記発電電力値又は前記売電電力値に対応する優先度又は精度に係る情報を格納する記憶媒体を備え、
前記制御部は、前記発電電力値又は前記売電電力値のうち、前記優先度又は前記精度が高い電力値に基づき、他方の電力値を補正することを特徴とする。
【０００８】
また本発明に係るエネルギー管理装置は、
需要家に設けられ、需要家内の負荷機器あるいは分散電源の電力状態を管理するエネルギー管理装置であって、
売電不可能な電力を供給する分散電源の放電電力値と、消費電力値に係る電力値とを取得する通信部と、
前記放電電力値又は前記消費電力値の一方に基づき、他方の電力値を補正する制御部と、
を備えることを特徴とする。
【０００９】
また本発明に係るエネルギー管理装置は、
前記放電電力値又は前記売電電力値に対応する優先度又は精度に係る情報を格納する記憶媒体を備え、
前記制御部は、前記放電電力値又は前記売電電力値のうち、前記優先度又は前記精度が高い電力値に基づき、他方の電力値を補正することを特徴とする。
【００１０】
また本発明に係るエネルギー管理装置は、
各分散電源の売電可否情報を格納する記憶媒体を備え、
前記制御部は、前記売電可否情報に基づき、売電可能又は売電不可能な電力を供給する分散電源を判別することを特徴とする。
【００１１】
また本発明に係るエネルギー管理装置は、
需要家に設けられ、需要家内の負荷機器あるいは分散電源の電力状態を管理するエネルギー管理装置であって、
蓄電部の充電電力値と、消費電力値に係る電力値とを取得する通信部と、
前記充電電力値又は前記消費電力値の一方に基づき、他方の電力値を補正する制御部と、
を備えることを特徴とする。
【００１２】
また本発明に係るエネルギー管理装置は、
前記充電電力値又は前記消費電力値に対応する優先度又は精度に係る情報を格納する記憶媒体を備え、
前記制御部は、前記充電電力値又は前記消費電力値のうち、前記優先度又は前記精度が高い電力値に基づき、他方の電力値を補正することを特徴とする。
【００１３】
また本発明に係るエネルギー管理装置は、
需要家に設けられ、需要家内の負荷機器あるいは分散電源の電力状態を管理するエネルギー管理装置であって、
分散電源の発電電力値を取得する通信部と、
前記発電電力値が所定の定格電力値を超過する場合、前記発電電力値を、前記所定の定格電力値と同一の値に補正することを特徴とする。
【００１４】
また本発明に係るエネルギー管理装置は、
前記制御部が、前記発電電力値の最小値が前記所定の定格電力値を所定期間超過する場合、前記所定の定格電力値を更新することを特徴とする。
【００１５】
また本発明に係るエネルギー管理装置は、
前記制御部が、前記所定の定格電力値を更新した場合、更新した旨を示す情報を外部に出力することを特徴とする。
【００１６】
また本発明に係るエネルギー管理方法は、
需要家内の負荷機器あるいは分散電源の電力状態を管理するエネルギー管理方法であって、
売電可能な電力を供給する分散電源の発電電力値及び系統への売電電力値を取得するステップと、
前記発電電力値又は前記売電電力値の一方に基づき、他方の電力値を補正するステップと、
を含むことを特徴とする。
【００１７】
また本発明に係るエネルギー管理方法は、
需要家内の負荷機器あるいは分散電源の電力状態を管理するエネルギー管理方法であって、
売電不可能な電力を供給する分散電源の放電電力値と、消費電力値に係る電力値とを取得するステップと、
前記放電電力値又は前記消費電力値の一方に基づき、他方の電力値を補正するステップと、
を含むことを特徴とする。
【００１８】
また本発明に係るエネルギー管理方法は、
需要家内の負荷機器あるいは分散電源の電力状態を管理するエネルギー管理方法であって、
蓄電部の充電電力値と、消費電力値に係る電力値とを取得するステップと、
前記充電電力値又は前記消費電力値の一方に基づき、他方の電力値を補正するステップと、
を含むことを特徴とする。
【００１９】
また本発明に係るエネルギー管理方法は、
需要家内の負荷機器あるいは分散電源の電力状態を管理するエネルギー管理方法であって、
燃料を用いて発電する分散電源の発電電力値を取得するステップと、
前記発電電力値が所定の定格電力値を超過する場合、前記発電電力値を、前記所定の定格電力値と同一の値に補正するステップと、
を含むことを特徴とする。
【００２０】
また本発明に係るエネルギー管理システムは、
需要家に設けられ、需要家内の負荷機器あるいは分散電源の電力状態を管理するエネルギー管理装置と、通信装置とを含むエネルギー管理システムであって、
前記エネルギー管理装置は、売電可能な電力を供給する分散電源の発電電力値及び系統への売電電力値を取得し、前記発電電力値又は前記売電電力値の一方に基づき、他方の電力値を補正して前記通信装置に送信し、
前記通信装置は、補正された前記電力値を表示することを特徴とする。
【００２１】
また本発明に係るエネルギー管理システムは、
需要家に設けられ、需要家内の負荷機器あるいは分散電源の電力状態を管理するエネルギー管理装置と、通信装置とを含むエネルギー管理システムであって、
前記エネルギー管理装置は、売電不可能な電力を供給する分散電源の放電電力値と、消費電力値に係る電力値とを取得し、前記放電電力値又は前記消費電力値の一方に基づき、他方の電力値を補正して前記通信装置に送信し、
前記通信装置は、補正された前記電力値を表示することを特徴とする。
【００２２】
また本発明に係るエネルギー管理システムは、
需要家に設けられ、需要家内の負荷機器あるいは分散電源の電力状態を管理するエネルギー管理装置と、通信装置とを含むエネルギー管理システムであって、
前記エネルギー管理装置は、蓄電部の充電電力値と、消費電力値に係る電力値とを取得し、前記充電電力値又は前記消費電力値の一方に基づき、他方の電力値を補正して前記通信装置に送信し、
前記通信装置は、補正された前記電力値を表示することを特徴とする。
【００２３】
また本発明に係るエネルギー管理システムは、
需要家に設けられ、需要家内の負荷機器あるいは分散電源の電力状態を管理するエネルギー管理装置と、通信装置とを含むエネルギー管理システムであって、
前記エネルギー管理装置は、燃料を用いて発電する分散電源の発電電力値を取得し、前記発電電力値が所定の定格電力値を超過する場合、前記発電電力値を、前記所定の定格電力値と同一の値に補正して前記通信装置に送信し、
前記通信装置は、補正された前記電力値を表示することを特徴とする。
【発明の効果】
【００２４】
本発明におけるエネルギー管理装置、エネルギー管理方法、及びエネルギー管理システムによれば、各機器で計測された複数の電力値を用いて、より信頼性の高い情報を提示することができる。
【図面の簡単な説明】
【００２５】
【図１】本発明の一実施形態に係るエネルギー管理システムの概略構成を示すブロック図である。
【図２】本発明の一実施形態に係るエネルギー管理装置の概略構成を示す機能ブロック図である。
【図３】本発明の一実施形態に係る通信装置の概略構成を示す機能ブロック図である。
【図４】本発明の一実施形態に係るエネルギー管理システムの動作を示すフローチャートである。
【図５】本発明の一実施形態に係るエネルギー管理システムの動作を示すフローチャートである。
【図６】本発明の一実施形態に係るエネルギー管理システムの動作を示すフローチャートである。
【図７】本発明の一実施形態に係るエネルギー管理システムの動作を示すフローチャートである。
【発明を実施するための形態】
【００２６】
以下、本発明の実施の形態について説明する。
【００２７】
（実施の形態）
まず、本発明の一実施形態に係るエネルギー管理システムについて説明する。また本実施形態に係るエネルギー管理システムは、電力系統（商用電源）から供給される電力の他に、売電可能な電力を供給する分散電源及び／又は売電不可能な電力を供給する分散電源を備える。売電可能な電力を供給する分散電源は、例えば太陽光発電などによって電力を供給するシステムである。一方売電不可能な電力を供給する分散電源は、例えば電力を充放電することができる蓄電池システムや、ＳＯＦＣ（Solid Oxide Fuel Cell）などの燃料電池を含む燃料電池システムである。本実施の形態においては、売電可能な電力を供給する分散電源として太陽光発電システム、及び売電不可能な電力を供給する分散電源が蓄電池システム及び燃料電池システムを備える例を示す。
【００２８】
図１は本発明の一実施形態に係るエネルギー管理システム１０の概略構成を示すブロック図である。本発明の一実施形態に係るエネルギー管理システム１０は、エネルギー管理装置１１と、通信装置１２と、スマートメータ１３と、パワーコンディショナ１４と、太陽光発電システム１５と、蓄電部１６と、分電盤１７と、負荷機器１８と、燃料電池装置１９とを備える。
【００２９】
図１において、各機能ブロックを結ぶ実線は、電力の流れを表す。また、図１において、各機能ブロックを結ぶ破線は、制御信号または通信される情報の流れを表す。当該破線が示す通信は有線通信としてもよいし、無線通信としてもよい。
【００３０】
制御信号および情報の通信には、各階層含め、様々な方式を採用可能である。例えば、エネルギー管理装置１１と、通信装置１２、スマートメータ１３、およびパワーコンディショナ１４との通信には、ＺｉｇＢｅｅ（登録商標）などの近距離通信方式による通信を採用することができる。また、エネルギー管理装置１１と負荷機器１８との通信には、赤外線通信、電力線搬送通信（ＰＬＣ：Ｐｏｗｅｒ Ｌｉｎｅ Ｃｏｍｍｕｎｉｃａｔｉｏｎ）など、様々な伝送メディアを使用することができる。またそれぞれの通信に適した物理層を含む下位の層の上で、各種プロトコル、例えばＺｉｇＢｅｅ  ＳＥＰ２．０（Ｓｍａｒｔ  Ｅｎｅｒｇｙ  Ｐｒｏｆｉｌｅ２．０）、ＥＣＨＯＮＥＴ  Ｌｉｔｅ（登録商標）などのような論理層だけ規定される通信プロトコルを動作させてもよい。以下、ＥＣＨＯＮＥＴ  Ｌｉｔｅ（登録商標）を、エネルギー管理装置１１が、通信装置１２、スマートメータ１３、パワーコンディショナ１４、および負荷機器１８との通信を行う場合に採用するケースを例に説明を行う。
【００３１】
エネルギー管理システム１０は、商用電源５０から供給される電力の他、太陽光発電システム１５が発電する電力、蓄電部１６に充電された電力のうち放電された電力を、負荷機器１８及びエネルギー管理装置１１に供給可能である。
【００３２】
エネルギー管理装置１１は、図１に示すエネルギー管理システム１０における各機器の電力を制御および管理する。エネルギー管理装置１１の構成についての詳細は後述する。
【００３３】
通信装置１２は、エネルギー管理装置１１が送信する情報を表示する。例えば通信装置１２は、作成する消費電力の履歴を示すグラフ画像を表示する。通信装置１２の構成についての詳細は後述する。
【００３４】
スマートメータ１３は、商用電源５０に接続されて、商用電源５０から供給される電力を計測する。また、スマートメータ１３は、分電盤１７にも接続されて、太陽光発電システム１５が発電してパワーコンディショナ１４から分電盤１７を介して電力会社に売電する電力をセンサにより計測する。スマートメータ１３は、計測した電力を、エネルギー管理装置１１に通知可能である。
【００３５】
また、スマートメータ１３は、系統ＥＭＳ（Ｅｎｅｒｇｙ Ｍａｎａｇｅｍｅｎｔ Ｓｙｓｔｅｍ）６０から、例えば電力に関する予測などの情報を受信可能である。ここで、系統ＥＭＳ６０は、電力に関する各種の予測および制御などを行う設備であり、一般的には、例えば電力会社などに設置される。系統ＥＭＳ６０は、例えばＭＤＭＳ（メータデータマネジメントシステム）を構成するものを採用可能である。この系統ＥＭＳ６０は、各種の電力に関する情報を記憶する記憶媒体６１を有しており、スマートメータ１３が計測した結果の情報を収集して蓄積することもできる。また、系統ＥＭＳ６０は、インターネットなどの外部ネットワーク７０に接続可能である。
【００３６】
パワーコンディショナ１４は、太陽光発電システム１５および蓄電部１６から供給される直流の電力を、交流の電力に変換する。パワーコンディショナ１４は、変換した交流の電力を、分電盤１７で複数に分岐した支幹を介して各負荷機器１８に供給する。また、パワーコンディショナ１４は、太陽光発電システム１５が発電した電力に余剰がある場合には、変換した交流の電力を、分電盤１７を介して電力会社に売電することもできる。また、パワーコンディショナ１４は、商用電源５０から供給される交流の電力を、蓄電部１６に充電するための直流の電力に変換可能である。
【００３７】
太陽光発電システム１５は、太陽光を利用して発電する。このため、太陽光発電システム１５は、太陽電池を備えており、太陽光のエネルギーを直流の電力に変換する。本実施形態において、太陽光発電システム１５は、例えば家の屋根などにソーラパネルを設置して、太陽光を利用して発電するような態様を想定している。しかしながら、本発明において、太陽光発電システム１５は、太陽光のエネルギーを電力に変換できるものであれば、任意のものを採用することができる。
【００３８】
太陽光発電システム１５が発電する電力は、上述したように、パワーコンディショナ１４によって交流に変換されてから、各負荷機器１８へ供給、および／または、電力会社に売電可能である。また、太陽光発電システム１５が発電した電力により、蓄電部１６が充電可能であってもよく、さらには直流のまま負荷機器１８に供給される構成であってもよい。
【００３９】
また太陽光発電システム１５は、発電電力値を、太陽光発電システム１５が備えるセンサにより計測し、計測した発電電力値を、エネルギー管理装置１１に送信する。
【００４０】
蓄電部１６は、蓄電池を備えており、この蓄電池に充電された電力を放電することにより、電力を供給可能である。また、蓄電部１６は、商用電源５０または太陽光発電システム１５等から供給される電力を充電可能である。図１に示すように、蓄電部１６から放電される電力も、各負荷機器１８及びエネルギー管理装置１１に供給可能である。蓄電部１６から放電される電力を各負荷機器１８及びエネルギー管理装置１１に供給する場合、商用電源５０から供給される電力から切り替える。
【００４１】
また蓄電部１６は、放電電力値又は充電電力値を蓄電部１６が備えるセンサにより計測し、計測した放電電力値又は充電電力値を、エネルギー管理装置１１に送信する。
【００４２】
分電盤１７は、供給される電力を複数の支幹に分岐させて各負荷機器１８に分配する。また分電盤１７は、燃料電池装置１９から供給される電力を、複数の支幹に分岐させて各負荷機器１８に分配する。ここで、各支幹には、消費電力の大きい代表的な負荷機器が直接接続されるものと、部屋ごとにまとめられたものとがある。前者における負荷機器は、例えばエアコン、冷蔵庫、ＩＨクッキングヒータなどである。後者における負荷機器は、各部屋にいくつか設けられているコンセントに接続される負荷機器であり、どのような負荷機器がコンセントに接続されるかは不定である。
【００４３】
図１において、エネルギー管理システム１０に接続される負荷機器１８は、任意の数とすることができる。これらの負荷機器１８は、例えば、テレビ、エアコン、冷蔵庫など、種々の電化製品である。これらの負荷機器１８は分電盤１７を介してパワーコンディショナ１４に接続されて、電力が供給される。
【００４４】
燃料電池装置１９は、燃料電池を備えており、水素を用いて空気中の酸素との化学反応により直流の電力を発電する。燃料電池は、ＳＯＦＣ（Ｓｏｌｉｄ Ｏｘｉｄｅ Ｆｕｅｌ Ｃｅｌｌ）、ＰＥＦＣ（Ｐｏｌｙｍｅｒ Ｅｌｅｃｔｒｏｌｙｔｅ Ｆｕｅｌ Ｃｅｌｌ）、ＭＣＦＣ（Ｍｏｌｔｅｎ Ｃａｒｂｏｎａｔｅ Ｆｕｅｌ Ｃｅｌｌ）などの方式により水素と空気中の酸素との化学反応により発電を行う。
【００４５】
発電に用いる水素に関しては、直接貯蔵して燃料電池に供給する形態でも、炭化水素ガスとして貯蔵して改質により水素を生成して燃料電池に供給する形態であってもよい。水素および空気の供給量を調整することにより、燃料電池装置１９における発電量を制御することが可能である。
【００４６】
また燃料電池装置１９には、所定の定格電力値が定められている。当該所定の定格電力値は、例えば７００Ｗである。
【００４７】
次に、エネルギー管理装置１１について、具体的に説明する。図２は、本発明の一実施形態に係るエネルギー管理装置１１の概略構成を示す機能ブロック図である。エネルギー管理装置１１は、例えばＨＥＭＳであって、通信部１１１と、制御部１１２とを備える。
【００４８】
通信部１１１は、例えばインターフェースであり、通信装置１２、スマートメータ１３、パワーコンディショナ１４、および負荷機器１８との間における制御部１１２からの制御信号および様々な情報を送受信する。
【００４９】
例えば、通信部１１１は、分電盤１７に設けた電流センサなどによりから、商用電源５０の売電電力値及び買電電力値を取得する。さらに、通信部１１１は、スマートメータ１３を介して例えば電力会社などから需要応答（Ｄｅｍａｎｄ Ｒｅｓｐｏｎｓｅ：ＤＲ）の情報を取得可能である。
【００５０】
また、通信部１１１は、太陽光発電システム１５から、太陽光発電システム１５の発電電力値を取得する。また通信部１１１は、蓄電部１６から、蓄電部１６の放電電力値及び充電電力値を取得する。また通信部１１１は、燃料電池装置１９から、当該支幹に設けたセンサを介して燃料電池装置１９の発電電力値を取得可能である。また、通信部１１１は、各負荷機器１８から各々の消費電力についても直接取得可能である。また、通信部１１１は、ネットワーク７０から多様な情報を取得可能である。
【００５１】
さらに、通信部１１１は通信装置１２から制御信号を取得可能であり、また通信部１１１は通信装置１２にエネルギー管理システム１０における電力の制御および管理の状態を示す情報を通知する。一例として、ＥＣＨＯＮＥＴ  Ｌｉｔｅ（登録商標）を採用するケースを例に説明を行う。
【００５２】
制御部１１２は、通信部１１１が取得する様々な情報に基づいて、エネルギー管理システム１０における各機器の電力を制御する制御信号および／または通信装置１２に通知する情報を生成する。
【００５３】
また、制御部１１２は、エネルギー管理システム１０における各機器の電力を管理するために、通信部１１１が取得する情報を蓄積する。制御部１１２は収集した各種の情報を蓄積するために、記憶媒体２５を有している。記憶媒体２５は、エネルギー管理装置１１の外部に接続されるようにしてもよいし、エネルギー管理装置１１に内蔵されるようにしてもよい。
【００５４】
具体的には制御部１１２は、通信部１１１が取得する太陽光発電システム１５の発電電力値を蓄積する。また、制御部１１２は、通信部１１１が取得するスマートメータ１３が計測した売電電力値及び買電電力値を蓄積する。また制御部１１２は、通信部１１１が取得する蓄電部１６の放電電力値及び充電電力値を蓄積する。また制御部１１２は、通信部１１１が取得する燃料電池装置１９の発電電力値を蓄積する。
【００５５】
制御部１１２は、これらの消費電力値に係る電力値に基づき、エネルギー管理システム１０の消費電力値を算出する。具体的には制御部１１２は、分電盤１７に設けた電流センサ等が計測した売電電力値及び買電電力値と、太陽光発電システム１５の発電電力値と、蓄電部１６の放電電力値及び充電電力値と、燃料電池装置１９の発電電力値とに基づき、消費電力値を算出し、記憶媒体２５に蓄積する。
【００５６】
さらに制御部１１２は、このように通信部１１１を介して取得した各電力値を補正する。以下制御部１１２が行う以下の補正（１）〜（４）について詳細に説明する。
【００５７】
（１）発電電力値又は売電電力値の補正
制御部１１２は、太陽光発電システム１５の発電電力値又は分電盤１７に設けた電流センサ等が計測した売電電力値の一方に基づき、他方の電力値を補正する。好適には制御部１１２は、太陽光発電システム１５の発電電力値又は電流センサ等が計測した売電電力値に対応する優先度又は精度に係る情報を記憶媒体２５に格納する。そして制御部１１２は、当該発電電力値又は当該売電電力値のうち、優先度又は精度が高い電力値に基づき、他方の電力値を、優先度又は精度が高い電力値に一致させる補正をする。
【００５８】
好適には制御部１１２は、太陽光発電システム１５の発電電力値に、より高い優先度又は高い精度を対応付ける。そして制御部１１２は、太陽光発電システム１５の発電電力値に基づき、電流センサ等が計測した売電電力値を太陽光発電システム１５の発電電力値と一致させる補正をする。当該補正は、電流センサ等が計測した売電電力値が、売電可能な分散電源である太陽光発電システム１５の発電電力値を超えることは生じ得ないことに基づく。また当該補正は売電可能な分散電源である太陽光発電システム１５の発電電力値は、当該発電電力が全て売電された場合、電流センサ等が計測した売電電力値と一致することに基づく。当該補正により、電流センサ等により計測された売電電力値と、太陽光発電システム１５により計測された発電電力値との矛盾を解消することができる。それゆえ、ユーザが認知する電流センサ等により計測された売電電力値と、太陽光発電システム１５により計測された発電電力値との齟齬が無くなり、ユーザに安心感を与えることができる。
【００５９】
また制御部１１２は、太陽光発電システム１５が一切発電をしていない、又は太陽光発電システム１５が本エネルギー管理システム１０に接続されていない場合、発電電力値が０となる。計測した売電電力値を０に補正する。
【００６０】
（２）放電電力値又は消費電力値の補正
また制御部１１２は、蓄電部１６の放電電力値又はエネルギー管理システム１０の消費電力値の一方に基づき、他方の電力値を補正する。好適には制御部１１２は、蓄電部１６の放電電力値及びエネルギー管理システム１０の消費電力値に対応する優先度又は精度に係る情報を記憶媒体２５に格納する。そして制御部１１２は、当該放電電力値又は当該消費電力値のうち、優先度又は精度が高い電力値に基づき、他方の電力値を、優先度又は精度が高い電力値に一致させる補正をする。
【００６１】
好適には制御部１１２は、蓄電部１６の放電電力値に、より高い優先度又は高い精度を対応付ける。そして制御部１１２は、蓄電部１６の放電電力値に基づき、エネルギー管理システム１０の消費電力値を補正する。具体的には、蓄電部１６の放電電力値に基づき、補正前の消費電力値が放電電力値未満の場合には、電流センサ等が計測した売電電力値又は／及び買電電力値を変更して、消費電力値を放電電力値に一致させる補正をする。当該補正は、消費電力値が売買不可能な分散電源である蓄電部１６の放電電力値を下回ることは生じ得ないことに基づく。また当該補正は、エネルギー管理システム１０の消費電力が、売電不可能な分散電源である蓄電部１６の放電電力により全てまかなわれている場合、当該消費電力と当該放電電力とが一致することに基づく。当該補正により、蓄電部１６において計測された放電電力値と、消費電力値との矛盾を解消することができる。それゆえ、ユーザが認知する蓄電部１６において計測された放電電力値と、消費電力値にかかる電力値との齟齬が無くなり、ユーザに安心感を与えることができる。なお、上記では、当該消費電力と当該放電電力とが完全一致する場合を例示したがこれに限られず、適切な範囲での誤差を許容するよう、概略一致している程度でよい。
【００６２】
（３）充電電力値又は消費電力値の補正
また制御部１１２は、蓄電部１６の充電電力値又はエネルギー管理システム１０の消費電力値の一方に基づき、他方の電力値を補正する。好適には制御部１１２は、蓄電部１６の充電電力値及びエネルギー管理システム１０の消費電力値に対応する優先度又は精度に係る情報を記憶媒体２５に格納する。そして制御部１１２は、当該放電電力値又は当該消費電力値のうち、優先度又は精度が高い電力値に基づき、他方の電力値を、優先度又は精度が高い電力値に一致させる補正をする。
【００６３】
好適には制御部１１２は、蓄電部１６の充電電力値に、より高い優先度又は高い精度を対応付ける。そして制御部１１２は、蓄電部１６の充電電力値に基づき、エネルギー管理システム１０の消費電力値を補正する。具体的には、蓄電部１６の充電電力値に基づき、補正前の消費電力値が充電電力値未満の場合には、電流センサ等が計測した売電電力値又は／及び買電電力値を変更して、消費電力値を充電電力値に一致させる補正をする。当該補正は、消費電力値が、蓄電部１６の充電電力値を超えることが生じ得ないことに基づく。当該補正により、蓄電部１６において計測された充電電力値と、消費電力値との矛盾を解消することができる。それゆえ、ユーザが認知する蓄電部１６において計測された充電電力値と、消費電力値にかかる電力値との齟齬が無くなり、ユーザに安心感を与えることができる。
【００６４】
（４）燃料電池装置１９の発電電力値の補正
また制御部１１２は、燃料電池装置１９の発電電力値が、所定の定格電力値を超過するか否かを判定する。そして所定の定格電力値を超過する場合、制御部１１２は、発電電力値を、当該所定の定格電力値と一致させる補正する。ただし制御部１１２は、所定の時間における発電電力値の瞬時値の最小値が、所定の定格電力値を超過する場合、所定の定格電力値を当該最小値に変更する。所定の時間は、好適には１０秒である。これにより、定格電力値が不明な場合にも対応することができる。当該補正は、燃料電池装置１９の発電電力値は、原則的に定格電力値以下であることに基づく。当該補正により、燃料電池装置１９の発電電力値と、定格電力値との矛盾を解消することができる。ここで燃料電池装置１９は燃料を使用した分散電源であるため、定格電力値より高い、誤った電力値が表示されるのは好ましくない。当該補正により定格電力値を超過するような計測値が誤って表示されてしまうことを防止することができる。それゆえ、ユーザが認知する電力値は原則的に定格電力値以下となる。特に燃料を用いて発電する分散電源の発電電力であるため、原則的に定格電力値以下に補正することにより、ユーザに安心感を与えることができる。
【００６５】
以上の（１）〜（４）に示す補正を行い、制御部１１２は、記憶媒体２５の各電力値を補正した各電力値に変更する。そして制御部１１２は、記憶媒体２５に蓄積したこれらの補正した電力値を、通信部１１１を介して通信装置１２に送信する。
【００６６】
次に、通信装置１２について、具体的に説明する。図３は、実施形態１に係る通信装置１２の概略構成を示す機能ブロック図である。通信装置１２は、専用に設計された端末とする他、モバイル端末、パソコン（ＰＣ）、ノートパソコン、またはタブレットＰＣなどにアプリケーションソフトウェアをインストールしたものとするなど、各種の端末とすることができる。通信装置１２は、表示部１２１、入力検出部１２２、記憶媒体１２３、制御部１２４、および通信部１２５を含んで構成される。
【００６７】
表示部１２１は、例えば液晶ディスプレイ（ＬＣＤ）または有機ＥＬディスプレイ等により構成することができる。また、本実施形態において、表示部１２１は、単色表示またはグレイスケールによって表示するものを用いることもできるが、一般のユーザが一見して容易に把握できるような態様で表示を行うために、カラー表示に対応したものを用いるのが好適である。
【００６８】
表示部１２１は、エネルギー管理装置１１から受信した各種電力値の値を表示する。また、表示部１２１は、エネルギー管理装置１１の有する機能を実行させるための様々な入力を受付けるための画像を表示可能である。
【００６９】
入力検出部１２２は、表示部１２１における表示に対応する入力を検出する。入力検出部１２２は、例えばタッチパネルであり、ユーザが指などにより直接触れる操作を検出可能である。また、入力検出部１２２は、マルチタッチ、すなわち、入力検出部１２２の接触検出面上の複数の箇所への接触を検出可能である。
【００７０】
タッチパネルは透過性の部材により形成され、表示部１２１の前面に重ねて配置される。このような構成により、表示部１２１に表示したアイコンのオブジェクトなどへの接触を検出可能である。したがって、このような構成のタッチパネルによる入力検出部１２２は、ユーザに直感的な操作性を提供可能である。また、もちろんタッチパネルではなく、物理キーを有するタイプの操作手段を入力検出部１２２として採用してもよい。
【００７１】
記憶媒体１２３は、通信装置１２に係る各種電力値等の情報を格納する。制御部１２４は、通信装置１２を構成する各機能部を制御することにより、通信装置１２全体を制御および管理する。
【００７２】
通信部１２５は、例えばインターフェースであり、エネルギー管理装置１１と有線通信又は無線通信を行う。すなわち、通信部１２５はエネルギー管理装置１１に制御信号および／または情報を送信するとともに、エネルギー管理装置１１からの制御信号および／または各種電力量等の情報を受信する。通信部１２５は、通信装置１２が有線通信でエネルギー管理装置１１と通信する場合は、エネルギー管理装置１１に接続されたケーブルを通信装置１２に接続するためのコネクタのレセプタクルとすることができる。
【００７３】
次に、本発明の一実施形態に係るエネルギー管理システム１０の動作について、電力値の補正（１）〜（４）毎に、それぞれ図４〜７に示すフローチャートにより説明する。
【００７４】
図４は、エネルギー管理装置１１が発電電力値又は売電電力値の補正をする場合の動作を示すフローチャートである。はじめにエネルギー管理装置１１の通信部１１１は、太陽光発電システム１５から太陽光発電システム１５の発電電力値を取得し、また、スマートメータ１３から、商用電源５０の売電電力値を取得する（ステップＳ１ａ）。
【００７５】
続いて制御部１１２は、通信部１１１を介して取得した各電力値を、記憶媒体２５に蓄積する（ステップＳ２ａ）。
【００７６】
続いて、制御部１１２は、記憶媒体２５に蓄積された各電力値の補正をする。制御部１１２は、太陽光発電システム１５の発電電力値又は電流センサ等が計測した売電電力値の一方に基づき、他方の電力値を補正する（ステップＳ３ａ）。好適には制御部１１２は、太陽光発電システム１５の発電電力値又はスマートメータ１３が計測した売電電力値に対応する優先度又は精度に係る情報を記憶媒体２５に格納する。そして制御部１１２は、当該発電電力値又は当該売電電力値のうち、優先度又は精度が高い電力値に基づき、他方の電力値を、優先度又は精度が高い電力値に一致させる補正をする。
【００７７】
続いて制御部１１２は、記憶媒体２５の各電力値を、補正した各電力値に変更する（ステップＳ４ａ）。
【００７８】
続いて制御部１１２は、記憶媒体２５に蓄積された各電力値を、通信部１１１を介して通信装置１２に送信する（ステップＳ５ａ）。
【００７９】
続いて通信装置１２の制御部１２４は、通信部１２５を介してエネルギー管理装置１１から各電力値を受信すると（ステップＳ６ａ）、表示部１２１に、当該各種電力値を表示させる（ステップＳ７ａ）。そして処理が終了する。
【００８０】
図５は、エネルギー管理装置１１が放電電力値又は消費電力値の補正をする場合の動作を示すフローチャートである。はじめにエネルギー管理装置１１の通信部１１１は、蓄電部１６の放電電力値と、エネルギー管理システム１０の消費電力値に係る電力値を取得する（ステップＳ１ｂ）。具体的には通信部１１１は、太陽光発電システム１５から太陽光発電システム１５の発電電力値、蓄電部１６から、蓄電部１６の放電電力値、分電盤１７に設けられた電流センサ等から、商用電源５０の売電電力値及び買電電力値、燃料電池装置１９から発電電力値をそれぞれ取得する。
【００８１】
続いて制御部１１２は、通信部１１１を介して取得した各電力値を、記憶媒体２５に蓄積する（ステップＳ２ｂ）。
【００８２】
続いて制御部１１２は、通信部１１１により取得した各電力値に基づきエネルギー管理システム１０の消費電力値を算出する（ステップＳ３ｂ）。具体的には制御部１１２は、電流センサ等が計測した売電電力値及び買電電力値と、太陽光発電システム１５の発電電力値と、蓄電部１６の放電電力値と、燃料電池装置１９の発電電力値とに基づき、消費電力値を算出する。そして制御部１１２は、算出した消費電力を記憶媒体２５に蓄積する（ステップＳ４ｂ）。
【００８３】
続いて、制御部１１２は、記憶媒体２５に蓄積された各電力値の補正をする。制御部１１２は、蓄電部１６の放電電力値又はエネルギー管理システム１０の消費電力値の一方に基づき、他方の電力値を補正する（ステップＳ５ｂ）。好適には制御部１１２は、蓄電部１６の放電電力値及びエネルギー管理システム１０の消費電力値に対応する優先度又は精度に係る情報を記憶媒体２５に格納する。そして制御部１１２は、当該放電電力値又は当該消費電力値のうち、優先度又は精度が高い電力値に基づき、他方の電力値を、優先度又は精度が高い電力値に一致させる補正をする。
【００８４】
続いて制御部１１２は、記憶媒体２５の各電力値を、補正した各電力値に変更する（ステップＳ６ｂ）。
【００８５】
続いて制御部１１２は、記憶媒体２５に蓄積された各電力値を、通信部１１１を介して通信装置１２に送信する（ステップＳ７ｂ）。
【００８６】
続いて通信装置１２の制御部１２４は、通信部１２５を介してエネルギー管理装置１１から各電力値を受信すると（ステップＳ８ｂ）、表示部１２１に、当該各種電力値を表示させる（ステップＳ９ｂ）。そして処理が終了する。
【００８７】
図６は、エネルギー管理装置１１が充電電力値又は消費電力値の補正をする場合の動作を示すフローチャートである。はじめにエネルギー管理装置１１の通信部１１１は、蓄電部１６の充電電力値と、エネルギー管理システム１０の消費電力値に係る電力値を取得する（ステップＳ１ｃ）。具体的には通信部１１１は、太陽光発電システム１５から太陽光発電システム１５の発電電力値、蓄電部１６から、蓄電部１６の充電電力値、電流センサ等から、商用電源５０の売電電力値及び買電電力値、燃料電池装置１９から発電電力値を、それぞれ取得する。
【００８８】
続いて制御部１１２は、通信部１１１を介して取得した各電力値を、記憶媒体２５に蓄積する（ステップＳ２ｃ）。
【００８９】
続いて制御部１１２は、通信部１１１により取得した各電力値に基づきエネルギー管理システム１０の消費電力値を算出する（ステップＳ３ｃ）。具体的には制御部１１２は、電流センサ等が計測した売電電力値及び買電電力値と、太陽光発電システム１５の発電電力値と、蓄電部１６の充電電力値と、燃料電池装置１９の発電電力値とに基づき、消費電力値を算出する。そして制御部１１２は、算出した消費電力を記憶媒体２５に蓄積する（ステップＳ４ｃ）。
【００９０】
続いて、制御部１１２は、記憶媒体２５に蓄積された各電力値の補正をする。制御部１１２は、蓄電部１６の充電電力値又はエネルギー管理システム１０の消費電力値の一方に基づき、他方の電力値を補正する（ステップＳ５ｃ）。好適には制御部１１２は、蓄電部１６の充電電力値及びエネルギー管理システム１０の消費電力値に対応する優先度又は精度に係る情報を記憶媒体２５に格納する。そして制御部１１２は、当該放電電力値又は当該消費電力値のうち、優先度又は精度が高い電力値に基づき、他方の電力値を、優先度又は精度が高い電力値に一致させる補正をする。
【００９１】
続いて制御部１１２は、記憶媒体２５の各電力値を、補正した各電力値に変更する（ステップＳ６ｃ）。
【００９２】
続いて制御部１１２は、記憶媒体２５に蓄積された各電力値を、通信部１１１を介して通信装置１２に送信する（ステップＳ７ｃ）。
【００９３】
続いて通信装置１２の制御部１２４は、通信部１２５を介してエネルギー管理装置１１から各電力値を受信すると（ステップＳ８ｃ）、表示部１２１に、当該各種電力値を表示させる（ステップＳ９ｃ）。そして処理が終了する。
【００９４】
図７は、エネルギー管理装置１１が燃料電池装置１９の発電電力値の補正をする場合の動作を示すフローチャートである。はじめにエネルギー管理装置１１の通信部１１１は、燃料電池装置１９から、当該支幹に設けたセンサを介して燃料電池装置１９の発電電力値を取得する（ステップＳ１ｄ）。
【００９５】
続いて制御部１１２は、通信部１１１を介して取得した燃料電池装置１９の発電電力値を、記憶媒体２５に蓄積する（ステップＳ２ｄ）。
【００９６】
続いて、制御部１１２は、燃料電池装置１９の発電電力値が、所定の定格電力値を超過するか否かを判定する（ステップＳ３ｄ）。所定の定格電力値を超過する場合、ステップＳ４ｄに進む。所定の定格電力値を超過しない場合、ステップＳ５ｄに進む。
【００９７】
ステップＳ３ｄにおいて発電電力値が所定の定格電力値を超過する場合、制御部１１２は、蓄積された発電電力値を所定の定格電力値と一致させるよう補正する（ステップＳ４ｄ）。
【００９８】
続いて制御部１１２は、記憶媒体２５に蓄積された電力値を、通信部１１１を介して通信装置１２に送信する（ステップＳ５ｄ）。
【００９９】
続いて通信装置１２の制御部１２４は、通信部１２５を介してエネルギー管理装置１１から電力値を受信すると（ステップＳ６ｄ）、表示部１２１に、当該各種電力値を表示させる（ステップＳ７ｄ）。そして処理が終了する。
【０１００】
このように本発明によれば、エネルギー管理装置１１が、複数の計測された電力値に基づき、当該複数の計測された電力間での矛盾を解消するように補正するため、各機器で計測された複数の電力値を用いて、より信頼性の高い情報を提示することができる。それゆえ、ユーザが認知する複数の電力値間の齟齬がなくなり、ユーザに安心感を与えることができる。
【０１０１】
なお、この例においては、定格電力値が絶対であるケースについて説明を行った。しかしながら需要家において、例えば燃料電池装置１９あるいはパワーコンディショナをより発電能力の高いものに置き換える場合なども生じ得る。このような場合を想定し、例えばステップＳ２ｄにおいて、通信部１１１を介して取得した燃料電池装置１９の発電電力値を、所定期間（たとえば１０分間）分を記憶媒体２５に蓄積し、その期間における発電電力値の瞬時値の最小値が、所定の定格電力値を超過するか否かを判定することで、定格電力値の妥当性を制御部１１２が検証してもよい。具体的には、当該最小値が所定の定格電力値を超過しない場合には妥当であるとし、超過する場合には定格電力値は妥当ではない、すなわち燃料電池装置１９がより発電能力の高いものに置き換えられたと制御部１１２は判断してもよい。そして制御部１１２は、少なくとも当該最小値よりも高い値になるよう、定格電力値自体を書き換えてもよい。この場合、制御部１１２は、定格電力値を書き換えた旨を示す信号を通信装置１２に送信し、通信装置１２において定格電力値の更新の発生、あるいは燃料電池装置１９あるいはパワーコンディショナの置き換えを検出したことを表示することが望ましい。
【０１０２】
本実施の形態においては、売電可能な電力を供給する分散電源及び売電不可能な電力を供給する分散電源が、それぞれ太陽光発電システム１５と、蓄電部１６及び燃料電池装置１９としたが、これに限られない。例えば太陽光発電システム１５が売電不可能な電力を供給する分散電源であってもよく、蓄電部１６及び燃料電池装置１９が売電可能な電力を供給する分散電源であってもよい。また、記憶媒体２５に、分散電源の売電可否情報を格納しておき、制御部１１２が、記憶媒体２５に格納された売電可否情報に基づき、売電可能又は売電不可能な電力を供給する分散電源を判別してもよい。
【０１０３】
本実施の形態においては、エネルギー管理装置１１が計測された電力を補正する例を示したがこれに限られない。エネルギー管理装置１１の替わりに、通信装置１２が計測された電力を補正するようにしてもよい。このように構成する場合、通信装置１２の通信部１２５は、エネルギー管理装置１１を介して、各種電力値を取得する。そして制御部１２４は、当該各種電力値に基づき電力値を補正すればよい。
【０１０４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【０１０５】
１０  エネルギー管理システム
１１  エネルギー管理装置
１２  通信装置
１３  スマートメータ
１４  パワーコンディショナ
１５  太陽光発電システム
１６  蓄電部
１７  分電盤
１８  負荷機器
１９  燃料電池装置
２５  記憶媒体
５０  商用電源
６０  系統ＥＭＳ
６１  記憶媒体
７０  ネットワーク
１１１  通信部
１１２  制御部
１２１  表示部
１２２  入力検出部
１２３  記憶媒体
１２４  制御部
１２５  通信部
【図１】
2014039362.tif 000003
【図２】
2014039362.tif 000004
【図３】
2014039362.tif 000005
【図４】
2014039362.tif 000006
【図５】
2014039362.tif 000007
【図６】
2014039362.tif 000008
【図７】
2014039362.tif 000009